(57)【要約】【課題】複数の壁面材を底面地盤又は下位の段の盛土上に、効率的に定置するとともに、手摺りを提供し、施工上の作業能率を向上する。【解決手段】複数の縦方向の鋼管１１が補強土擁壁２４の横幅方向に間隔をおいて並置され、夫々壁面材２５の前面部８の背面に緊結されており、水平敷網材１８は、底面地盤３上に敷設され、その前端が壁面材２５の底面部６に連結材２１で連結されており、壁面材２５の曲部７は面取りして形成されており、これにより下位の段の壁面材２５の前面部８の上端は、沈下しても上位の段の壁面材２５に当接しない。【選択図】    図１
2004250913.tif 000002
【特許請求の範囲】
【請求項１】
底面地盤上に盛土構造体を複数段積み重ねて形成される補強土擁壁であって、
上記複数段の盛土構造体の夫々は、底面部、曲部及び前面部とから成るＬ型の壁面材と、該前面部の背面に沿って上下方向に伸びるように配置され補強土擁壁の一部として残置される複数本の縦方向の鋼管と、上記複数本の縦方向の鋼管を互いに連結する水平に配置された横方向の鋼管と、上記底面地盤上に敷設された敷網材と、盛土とを備えており、
上記複数の縦方向の鋼管は、補強土擁壁の横幅方向に間隔を置いて並置され、夫々上記壁面材の前面部の背面に緊結されており、
上記敷網材の前端部は上記壁面材の底面部に連結材で連結されており、
上記壁面材の曲部は面取りして形成されており、これにより下位の段の壁面材の前面部の上端は、上位の段の壁面材に当接しない構成であることを特徴とする補強土擁壁。
【請求項２】
底面地盤上に盛土構造体を複数段積み重ねて形成される補強土擁壁であって、
上記複数段の盛土構造体の夫々は、前面部、曲部及び底面部とから成るＬ型の壁面材と、底面地盤に敷設された水平敷網材と、盛土とを備えており、
上記複数の縦方向の鋼管は、補強土擁壁の横幅方向に間隔を置いて並置され、夫々上記壁面材の前面部の前面に緊結されており、
上記水平敷網材は、その前端部は上記壁面材の底面部に連結材で連結されており、
上記壁面材の曲部は面取りして形成されており、これにより下位の段の壁面材の前面部の上端は、上位の段の壁面材に当接しない構成であり、
上記補強土擁壁を施工する間のみ、上記前面部の前面に当接して緊結され該前面部に沿って上下方向に伸びるように複数本の縦方向の鋼管と、上記複数本の鋼管とを互いに連結する水平に配置された横方向の鋼管とが設けられて施工されるものであることを特徴とする補強土擁壁。
【請求項３】
上記下位の段の壁面材の前面部は、上位の段の壁面材の底面部及び上記水平敷網材と水平に配置された櫛状の金物及び連結材で可動に連結されていることを特徴とする請求項１又は２記載の補強土擁壁。
【請求項４】
底面地盤上に盛土構造体を複数段積み重ねて形成される補強土擁壁であって、
上記複数段の盛土構造体の夫々は、前面部、該前面部の頭部、曲部及び底面部とから成るＬ型の壁面材と、底面地盤に敷設された水平敷網材と、盛土とを備えており、
上記前面部の頭部は背面側へ傾斜して形成されており、
上記壁面材の曲部は、面取りして形成されており、下位の段の壁面材の頭部と互いに可動に係合しており、
上記水平敷網材は、その前端部は上記壁面材の曲部に連結材で連結されており、
上記補強土擁壁を施工する間のみ、上記前面部の前面に当接して緊結され該前面部に沿って上下方向に伸びるように複数本の縦方向の鋼管と、上記複数本の鋼管とを互いに連結する水平に配置された横方向の鋼管とが設けられて施工されるものであることを特徴とする補強土擁壁。
【請求項５】
上記下位の段の壁面材の前面部は、上位の段の曲部及び上記水平敷網材と水平に配置された櫛状の金物及び連結材で可動に連結されていることを特徴とする請求項４記載の補強土擁壁。
【発明の詳細な説明】
【０００１】
【発明の属する技術分野】
本発明は、道路擁壁、駐車場や工場等の敷地造成地の擁壁、土捨て場の擁壁、地山ダム、砂防ダムをはじめ多くの場所に適用される補強土擁壁に関する。
【０００２】
【従来の技術】
従来、道路擁壁、駐車場や工場等の敷地造成地の擁壁、土捨て場の擁壁、地山ダム、砂防ダム等に適用される補強土擁壁において、壁面材をエキスパンドメタル（網状の鋼製部材）を利用して施工する構成は知られている（特許文献１参照）。
【０００３】
さらに、盛土構造において、板状ブロックの壁面材を使用し、上下ブロックの間には継手金具及びスライド式ジョイントを設け、且つ補強土中に埋め込んだアンカー部材とスライド式ジョイントを連結する構成は公知である（特許文献２参照）。
【０００４】
【特許文献１】
特開平０８−２８４１７３号公報（段落００１３、図１、４）
【特許文献２】
特開平１１−２５６５８０号公報（段落０００４、図１、２）
【０００５】
【発明が解決しようとする課題】
壁面材としてコンクリートを用いた安価な土擁壁が施工できれば、見栄えもよいのであるが、コンクリートの擁壁は重量が重く、補強土壁と異なり、擁壁体の全量を搬入しなければならないという欠点がある。
【０００６】
従来の壁面材としてエキスパンドメタルを利用する補強土擁壁は、コンクリートの擁壁よりは軽いが、補強土擁壁を施工する工程において、複数の壁面材を底面地盤又は下位の段の盛土上に積み上げていく際に、次のような問題が生じる。
（１）補強土擁壁の施工に際しては、壁面材を積み上げていき、高所における作業を伴うので、作業員の落下防止のために手摺りが必要となる。しかし単に手摺りのみの用途で設けてもコスト高となる。
（２）施工中は壁面材にかかる土圧は施工完了後より大きく、壁面材のみでは土圧に耐えられないので、その補強を必要とする。
（３）上位の段の壁面材が下位の段の壁面材に接触して、上方の盛土の沈下による重量が下位の壁面材にかかり、盛土の沈下に対する壁面材の伸縮量が小さく、盛土の沈下が集約される最下段の壁面材に上方の盛土の沈下重量がかかると、この最下段の壁面材は変形や座屈による破損が発生する。
（４）壁面材を積み上げていくだけでなく、補強土擁壁の一つの前面を構成するように複数の壁面材を整合よく定置しなくてはならない。
【０００７】
本発明は、このような従来の問題を解決することを目的とするものであり、複数の壁面材を底面地盤又は下位の段の盛土上に積み上げていく際に、落下防止用の手摺りを施工の際に仕掛かり中の土擁壁の構造の一部として組み込んで採用し、施工中に壁面材にかかる土圧に対する壁面材の補強をさせるとともに、複数の壁面材を補強土擁壁の前面に整合する定置させる為に利用し、しかも最下段の壁面材に上方の盛土等の重量をかけることなく変形や破損を防止することができる構造が簡単で、安定且つ強度の大きな補強土擁壁を安全に、安く、早く施工できることを課題とする。
【０００８】
【課題を解決するための手段】
本発明は上記課題を解決するために、底面地盤上に盛土構造体を複数段積み重ねて形成される補強土擁壁であって、上記複数段の盛土構造体の夫々は、底面部、曲部及び前面部とから成るＬ型の壁面材と、該前面部の背面に沿って上下方向に伸びるように配置され補強土擁壁の一部として残置される複数本の縦方向の鋼管と、上記複数本の縦方向の鋼管を互いに連結する水平に配置された横方向の鋼管と、上記底面地盤上に敷設された敷網材と、盛土とを備えており、上記複数の縦方向の鋼管は、補強土擁壁の横幅方向に間隔を置いて並置され、夫々上記壁面材の前面部の背面に緊結されており、上記敷網材の前端部は上記壁面材の底面部に連結材で連結されており、上記壁面材の曲部は面取りして形成されており、これにより下位の段の壁面材の前面部の上端は、上位の段の壁面材に当接しない構成であることを特徴とする補強土擁壁を提供する。
【０００９】
本発明は上記課題を解決するために、底面地盤上に盛土構造体を複数段積み重ねて形成される補強土擁壁であって、上記複数段の盛土構造体の夫々は、前面部、曲部及び底面部とから成るＬ型の壁面材と、底面地盤に敷設された水平敷網材と、盛土とを備えており、上記複数の縦方向の鋼管は、補強土擁壁の横幅方向に間隔を置いて並置され、夫々上記壁面材の前面部の前面に緊結されており、上記敷網材は、その前端部は上記壁面材の底面部に連結材で連結されており、上記壁面材の曲部は面取りして形成されており、これにより下位の段の壁面材の前面部の上端は、上位の段の壁面材に当接しない構成であり、上記補強土擁壁を施工する間のみ、上記前面部の前面に当接して緊結され該前面部に沿って上下方向に伸びるように複数本の縦方向の鋼管と、上記複数本の鋼管とを互いに連結する水平に配置された横方向の鋼管とが設けられて施工されるものであることを特徴とする補強土擁壁を提供する。
【００１０】
上記下位の段の壁面材の前面部は、上位の段の壁面材の底面部及び上記水平敷網材と水平に配置された櫛状の金物及び連結材で可動に連結されている構成としてもよい。
【００１１】
底面地盤上に盛土構造体を複数段積み重ねて形成される補強土擁壁であって、上記複数段の盛土構造体の夫々は、前面部、該前面部の頭部、曲部及び底面部とから成るＬ型の壁面材と、底面地盤に敷設された水平敷網材と、盛土とを備えており、上記前面部の頭部は背面側へ傾斜して形成されており、上記壁面材の曲部は、面取りして形成されており、下位の段の壁面材の頭部と互いに可動に係合しており、上記敷網材は、その前端部は上記壁面材の曲部に連結材で連結されており、上記補強土擁壁を施工する間のみ、上記前面部の前面に当接して緊結され該前面部に沿って上下方向に伸びるように複数本の縦方向の鋼管と、上記複数本の鋼管とを互いに連結する水平に配置された横方向の鋼管とが設けられて施工されるものであることを特徴とする補強土擁壁を提供する。
【００１２】
上記下位の段の壁面材の前面部は、上位の段の曲部及び上記水平敷網材と水平に配置された櫛状の金物及び連結材で可動に連結されている構成としてもよい。
【００１３】
【発明の実施の形態】
本発明に係る補強土擁壁の実施の形態を実施例に基づいて図面を参照して説明する。この補強土擁壁は、底面地盤上に盛土構造体を複数段積み重ねて形成される補強土擁壁である。
【００１４】
本発明に係る補強土擁壁を、地山１の傾斜面（のり面）の前面部に施工した補強土擁壁を例に挙げて、図１〜９に示す、実施例１〜３で詳細に説明する。この地山１の傾斜面は一定の傾斜角度で切り取られて背面切土２が表出し、傾斜面の裾部から前方に底面地盤３が形成されている。
【００１５】
（実施例１）
図１、２、８は、本発明に係る補強土擁壁の実施例１を説明する図である。底面地盤３の前端部４上に、ほぼＬ型の壁面材５が配置されている。この壁面材５は、底面部（水平部）６、曲部７及び前面部（起立部）８とから成る。底面部６は、底面地盤３上に置かれ、前面部８は、底面地盤３に対して背面側（「地山側」、或いは「盛土側」とも言う。図１中の右側。）に向けて若干傾斜するように起立して形成されている。
【００１６】
壁面材５の曲部７は面取り（例えば円弧状に面取り）して形成されており、これにより補強土擁壁１０を構成する複数段の盛土構造体９において、下位の段の壁面材５の前面部８の上端は、上位の段の壁面材５に当接せず、又上段の壁面材５が自重や盛土重量で若干下方に沈下しても下位の段の壁面材５の前面部８の上端に接触しないように構成されている。
【００１７】
壁面材５は、剛性のあるエキスパンドメタルや金網等が利用されるが、本実施例１では剛性のあるエキスパンドメタルを使用した例を示す。なお壁面材５は、補強土擁壁１０の横幅に合わせて複数個、地山の横幅方向（地山を正面に見て横方向）に間隔を置いて並置されている。
【００１８】
底面地盤３の前端部４上であって、壁面材５の背面に沿うように、縦方向の鋼管１１が背面側に若干傾斜し、一定の角度で起立するように配置されている。具体的には、縦方向の鋼管１１は、壁面材５の背面に植生マット１２を介して当接され、メタルバンドや針金等の緊結材１３で緊結されて起立し、配置されている。この縦方向の鋼管１１は、地山１の横幅方向に間隔をおいて複数本配置されている。
【００１９】
縦方向の鋼管１１は、施工すべき補強土擁壁１０の高さを考慮して、適宜長さの鋼管１４が複数本、管継手１５で接続されて使用されている。複数本の鋼管１１の夫々の背面に、水平に伸びる横方向の鋼管１６を当接して架け渡して互いに締結し、これにより複数本の縦方向の鋼管は、横方向の鋼管１６を介して一体的に結合され構造強度が付与されている。
【００２０】
このような複数本の縦方向の鋼管１１と横方向の鋼管１６の組み合わされた鋼管は、補強土擁壁１０を施工する際の手摺りとなるとともに、補強土擁壁１０の構造物の一部としてそのまま残置してもよい。この場合は、鋼管１６の撤去作業の手間も省け、又盛土１７の土圧を押さえる壁面材５をさらに補強することともなる。
【００２１】
底面地盤３上には水平敷網材１８が敷設され、背面切土２上には背面敷網材１８’が敷設されている。水平敷網材１８と背面敷網材１８’は、互いに敷網連結材２２で連結されている。
【００２２】
底面地盤３上の水平敷網材１８の前端部１９は、壁面材５の底面部６の山側端部２０に結合されている。図２は、２段目以上に配設される水平敷網材１８の前端部１９が壁面材５の底面部６の山側端部２０に結合されている構造を示している。この図２に示す通り、水平敷網材１８の前端部１９と壁面材５の底面部６の山側端部２０には、横方向に伸びる連結材２１、例えばこの実施例では２本の鉄筋のような連結材２１が挿入されて、互いに連結されている。
【００２３】
敷網材１８、１８’は、ジオテキスタイル、例えばテンサー（商品名）等が利用される。底面地盤３及び背面切土２上に敷設される敷網材１８、１８’は、敷設する底面地盤３及び背面切土２の敷設すべき面積が小さい場合は、夫々一枚の水平敷網材１８でも良いが、敷設すべき面積が大きい場合は、複数枚の水平敷網材１８、１８’を互いに敷網連結材２２により連結して使用してもよい。
【００２４】
壁面材５と、底面地盤３及び背面切土２上に敷設された敷網材１８、１８’で囲まれた空間に盛土１７が埋め込まれ、これにより１段目の盛土構造体９が構成されている。
【００２５】
この１段目の盛土構造体９の上に、２段目以上の盛土構造体９が次々と積み重ねられて施工されるが、２段目以上の盛土構造体９は、１段目の盛土構造体９と同様の構造に形成されており、下位の段の盛土構造体９上に配設された壁面材５、下位の段の盛土構造体９と切土２上に配設された水平敷網材１８及び背面敷網材１８’で囲まれた空間に盛土１７が埋め込まれて構成される。下位の段の盛土構造体９上に敷設された水平敷網材１８の底面部６の山側端部２０は、切土２上に配設された水平敷網材１８の前端部１９に敷網連結材２２で連結されている。
【００２６】
この実施例１の補強土擁壁１０では、複数の壁面材５が、補強土擁壁１０の前面を形成するように、地山１の幅方向かつ上下方向に並置されるが、複数の壁面材５は、縦方向の鋼管１１に当接することで、補強土擁壁１０の前面となる一面を形成するように位置決めが可能となるとともに、施工の際の土圧に対する壁面材５の補強を行うとともに、落下防止用の手摺りを提供する。壁面材５は、特にこの実施例１のように壁面材５の背面側に設けた場合は残置すると面倒な撤去作業の必要がない。
【００２７】
又、この実施例１の補強土擁壁１０では、各段の壁面材５は、上下段方向の壁面材５は夫々互いに連結されておらず又は後述するように連結されていても互いに拘束されず独立し可動な構成とされ、縦方向の鋼管１１に対して夫々独立して緊結材で緊結されている。さらに、壁面材５の曲部７は面取りして形成されており、これにより複数段の盛土構造体９の下位の段の壁面材５の前面部８の上端は、上位の段の壁面材５に当接せず、又上位の段の壁面材５が自重や盛土重量で若干下方に沈下しても接触しないように構成されている。
【００２８】
従って、最下段の盛土構造体９より上方の全ての段の盛土構造体の重量が最下段の壁面材５にかかるようなことがないので、最下段の壁面材５が変形や破損することようなことを防止することができる。
【００２９】
なお、図８（ａ）は、下位の段の壁面材５と上位の段の壁面材５が互いに、水平に配置される櫛状の金物３２で可動に連結されている構成を示し、この構成に加えて、さらに図８（ｂ）では、水平敷網材１８を連結した構成を示している。鉄筋のような連結材２１が、櫛状の金物３２の後端部の湾曲部３３と壁面材２５との間、さらに水平敷網材１８の前端のループ部３１内に挿入されている。櫛状の金物３２の前端は壁面材５とピン３４などで接続されている。
【００３０】
なお、櫛状の金物３２の詳細について、その側面図を図８（ａ）、（ｂ）で示し、その平面図を図１０（ａ）で示している。櫛状の金物３２は、水平に配置され、補強土擁壁１０の横幅方向に間隔を置いて平行に配列された複数の鉄筋櫛部３４と、これら複数の鉄筋櫛部をそれらの前端で互いに固定する一本の鉄筋３５とから構成される。鉄筋櫛部３４の後端部には上方に向けた湾曲部３３が形成されている。
【００３１】
次に、実施例１の補強土擁壁１０の施工の工程（施工方法）を順次説明する。
（１）地山１の傾斜面を一定の傾斜角度で切り取り、背面切土２を形成し、傾斜面の裾部から前方に向けて底面地盤３を形成する。
（２）底面地盤３の前端部４上に、壁面材５を配置する。
【００３２】
（３）底面地盤３の前端部４上に、複数本の縦方向の鋼管１１を、壁面材５の背面に植生マット１２を介して当接し、壁面材５の背面に沿うように背面側に向けて若干傾斜し、一定の角度で起立するように配置する。これら複数本の縦方向の鋼管１１は、地山１の横幅方向に間隔をおいて配置し、夫々壁面材５にメタルバンドや針金のような緊結材１３等で緊結する。
【００３３】
（４）鋼管１１は、施工すべき補強土擁壁１０の高さを考慮して、鋼管１４を管継手１５で接続して上方向に伸ばし、複数本の縦方向の鋼管１１の夫々の背面に当接するように、横方向の鋼管１６を水平に配置して締結具で締結する。
【００３４】
（５）底面地盤３に敷網材１８を、背面切土２上に背面敷網材１８’を敷設する。敷網材１８、１８’は、複数の敷網材１８、１８’を敷網連結材２２で連結して使用してもよい。
（６）底面地盤３上の水平敷網材１８の前端部１９と壁面材５の底面部６の山側端部２０を重ね合わせ、この重ね合わせた部分に２本の鉄筋のような連結材２１を挿入して互いに連結する。
（７）壁面材５と、底面地盤３及び背面切土２上に敷設された敷網材１８、１８’で囲まれた空間に盛土１７を埋め込み、１段目の盛土構造体９を構成する。
【００３５】
（８）１段目の盛土構造体９の上に、２段目以上の盛土構造体９を１段目とほぼ同様の施工工程で次々と積み重ねて施工する。このように２段目以上の盛土構造体９を施工する工程において、鋼管１１は、高所作業用の手摺りとなるとともに、作業が終了した後、補強土擁壁の構造物の一部として残置し撤去作業を省き、補強土擁壁１０の施工後の壁面のより一層の補強を図ってもよい。
【００３６】
（実施例２）
図３〜５は、本発明に係る補強土擁壁の実施例２の構成を説明する図である。この実施例２の補強土擁壁２３の構造は、実施例１とほぼ同じ構造であるが、異なる点は、縦方向の鋼管１１を壁面材５の外側に沿うように施工時のみ起立して配置し、補強土擁壁２３の施工が完了した時点で鋼管１１を除去し、施工完了後は鋼管１１を配設しない補強土擁壁の構成とする点である。図３、４に示す施工の工程の説明を通して実施例２の補強土擁壁２３の構成を、特に実施例１と異なる構成を中心に説明する。
【００３７】
図３（ａ）に示すように、底面地盤３の前端部４上に、壁面材５を配置する。底面地盤３の前端部４上に、複数本の縦方向の鋼管１１を、壁面材５の前面部８に当接し、壁面材５の前面部８に沿うように若干背面側に向けて傾斜し、一定の角度で起立するように配置する。そして、図５に示すように、鋼管１１を壁面材５の前面部８に当接してメタルバンドや針金のような緊結材１３等で緊結する。
【００３８】
これら複数本の縦方向の鋼管１１は、地山１の横幅方向に間隔をおいて配置する。縦方向の鋼管１１は、実施例１同様に、施工すべき補強土擁壁２３の高さを考慮して、鋼管１４を管継手１５で接続して上方向に伸ばす。
【００３９】
そして、図３（ｂ）に示すように、複数本の縦方向の鋼管１１の夫々の背面に当接するように、横方向の鋼管１６を水平に配置して締結具で締結する。次に底面地盤３上に水平敷網材１８し、背面切土２上に背面敷網材１８’を敷設する。敷網材１８、１８’は、複数の敷網材１８、１８’を敷網連結材２２で連結して使用してもよい。
【００４０】
そして、底面地盤３上の水平敷網材１８の前端と壁面材５の底面部６の山側端を重ね合わせ、この重ね合わせた部分に２本の鉄筋のような連結材２１を挿入して互いに連結する。この連結した状態は、図５において、最下段の盛土構造体９ではないが、上位の段の盛土構造体９における水平敷網材１８と敷網連結材２２との連結について示されている。
【００４１】
このようにして配設された壁面材５の背面側に植生マット１２を配置し、壁面材５と、底面地盤３及び背面切土２上に敷設された敷網材１８、１８’とで囲まれた空間に盛土１７を埋め込み、１段目の盛土構造体９を形成する。
【００４２】
次に図４（ａ）に示すように、１段目の盛土構造体９の上に、２段目の盛土構造体９を１段目とほぼ同様の工程でもって施工し、以下同様に３段目の盛土構造体９を積み重ねる。なお、本実施例２の補強土擁壁２３は、３段の盛土構造体９から構成されるが、４段以上の盛土構造体９から成る補強土擁壁２３では、４段目以上の盛土構造体９も２段目の盛土構造体と同様にして施工する。
【００４３】
このように２段目以上の盛土構造体９を施工する際に、鋼管１１、１６は、高所作業用の手摺りとなる。そして、３段の盛土構造体９の積み上げが終了した段階で、鋼管１１を壁面材５から取り除き、図４（ｂ）に示すような３段の盛土構造体９から成る補強土擁壁２３の施工が完了する。鋼管１１、１６を壁面材５から取り除いた構成は、実施例１とは異なる。
【００４４】
この実施例２の補強土擁壁２３では、補強土擁壁２３の前面を形成するように、複数の壁面材５が地山１の幅方向かつ上下方向に並置されるが、縦方向の鋼管１１に壁面材５が当接することで、複数の壁面材５で補強土擁壁２３の前面を形成するように位置決めが可能となるとともに、施工の際の土留めを行う壁面材５の補強を行い、しかも施工の際の高所作業用の手摺りを提供する。
【００４５】
又、この実施例２の補強土擁壁２３では、実施例１と同様に、上下段方向の壁面材５は夫々互いに連結されておらず、しかも壁面材５の曲部７は面取りして形成されているから、下位の段の壁面材５の前面部８の上端は、上位の段の壁面材５に当接せず、又上位の段の壁面材５が自重や盛土重量で若干下方に沈下しても接触しないように構成されている。
【００４６】
従って、最下段の盛土構造体９より上方の全ての段の盛土構造体の重量が最下段の壁面材５にかかるようなことがないので、最下段の壁面材５が変形や破損することようなことを防止することができる。
【００４７】
（実施例３）
図６、７、９は、本発明に係る補強土擁壁の実施例３の構成を説明する図である。この実施例３の補強土擁壁２４の構成は、実施例２の補強土擁壁２４とほぼ同じ構成であるが、実施例３の壁面材２５は実施例の壁面材５と構造が若干異なり、又壁面材２５と水平敷網材１８との連結する位置が実施例２とは相違する。以下、実施例３の構成を詳細に説明する。
【００４８】
図６に示すように、底面地盤３の前端部４上に、壁面材２５を配置する。この実施例３で使用される壁面材２５は、図６、７で示されるように、ほぼＬ型であり、実施例１、２の壁面材５と同様に底面部６、曲部７及び前面部８とから成り、曲部７は面取りして形成されている。実施例３の壁面材２５は、実施例１、２と異なり、前面部８の上端には頭部２６が形成されている。この頭部２６は、図６、７に示すように、背面側に若干折り返されている構造でもよいし、折り返されていなくてもよい。
【００４９】
底面地盤３の前端部４上に、複数本の縦方向の鋼管１１を、壁面材２５の前面部８に当接し、壁面材２５の前面部８に沿うように若干背面側に向けて傾斜し、一定の角度で起立するように配置する。そして、図６、７に示すように、鋼管１１を壁面材２５の前面部８に当接してメタルバンドや針金のような緊結材１３で緊結する。
【００５０】
これら複数本の縦方向の鋼管１１は、地山１の横幅方向に間隔をおいて配置する。鋼管は、施工すべき補強土擁壁２４の高さを考慮して、鋼管１４を管継手１５で接続して上方向に伸ばす。そして、複数本の縦方向の鋼管１１の夫々の背面に当接するように、実施例１、２同様に横方向の鋼管を水平に配置して締結材で締結する。
【００５１】
そして、図６に示すように、底面地盤３に水平敷網材１８を敷設し、背面切土２上に背面敷網材１８’を敷設する。敷網材１８、１８’は、複数の敷網材１８、１８’を敷網連結材２２で連結して使用してもよい。そして、底面地盤３上の水平敷網材１８の前端部１９を壁面材２５の曲部７において１本の鉄筋のような連結材２１を挿入して互いに連結する。連結材２１自体は、図７において、最下段の盛土構造体９ではないが、上位の段の盛土構造体９における連結材２１が示されている。
【００５２】
このようにして配設された壁面材２５の背面側に植生マット１２を配置し、壁面材２５と、底面地盤３及び背面切土２上に敷設された敷網材１８、１８’とで囲まれた空間に盛土１７を埋め込み、１段目の盛土構造体９を構成する。
【００５３】
そして、図６に示すように、１段目の盛土構造体９の前端側４の上に２段目の壁面材２５を配置し緊結材１３で鋼管１１に緊結し、さらに１段目の盛土構造体９上に水平敷網材１８を敷設する。この場合、１段目（下段）の壁面材２５の頭部２６と２段目（上段）の壁面材２５の曲部７とを、図７に示すように、互いに可動に交叉させるように配置する。
【００５４】
この曲部７に、１段目の盛土１７上に敷設された２段目の水平敷網材１８の前端部１９を重ね合わせて、１本の鉄筋のような連結材２１を挿入して、２段目の壁面材２５の曲部７及び水平敷網材１８の前端部とを互いに連結する。底面地盤３上に敷設された水平敷網材１８の背面側の端部は背面切土２上に敷設された背面敷網材１８’に敷網連結材２２を挿入して連結している。
【００５５】
このようにして配設された２段目の壁面材２５の背面側に植生マット１２を配置し、この壁面材２５と、底面地盤３上に敷設された水平敷網材１８及び背面切土２上に敷設された背面敷網材１８’とで囲まれた空間に盛土１７を埋め込み２段目の盛土構造体９を構成する。以下同様の工程でもって３段目以上の盛土構造体９も同様にして施工する。
【００５６】
このように最上段の２段目以上の盛土構造体９を施工する際のみ、縦方向の鋼管１１及び横方向の鋼管は、高所作業用の手摺りとなる。そして、最上段の盛土構造体９の積み上げが終了した段階で、縦方向の鋼管１１及び横方向の鋼管を壁面材２５から取り除き、複数段の盛土構造体９から成る補強土擁壁２４の施工完了後は鋼管１１を配設しない補強土擁壁の構成とする点は、実施例１と異なる。
【００５７】
この実施例３の補強土擁壁２４では、実施例２と同様に、補強土擁壁２４の前面を形成するように、複数の壁面材２５が地山１の幅方向かつ上下方向に並置されるが、縦方向の鋼管１１に壁面材２５が当接することで、複数の壁面材２５で補強土擁壁２４の前面を形成するように位置決めが可能となるとともに、施工の際の土留めを行う壁面材２５の補強を行い、しかも手摺りを提供する。
【００５８】
又、この実施例３の補強土擁壁２４では、下位の段の壁面材２５の頭部２６は上位の段の壁面材２５の曲部７に対して可動に係合しているのみで、上下段方向の壁面材２５は互いに連結されていないので、上位の段の壁面材２５が自重や盛土重量で若干下方に沈下しても、上位の段の盛土構造体９の重量が下位の段の壁面材２５にかかることがなく、従って、最上段を含めてその下方の全ての盛土構造体の重量が、上下方向の各段の壁面材２５を介して、最下段の壁面材２５へかかるようなことはないので、最下段の壁面材２５が変形したり、破損することを防止できる。
【００５９】
この実施例３の補強土擁壁２４では、下位の段の壁面材２５の頭部２６と上位の段の壁面材２５の曲部７が可動に係合（連接）しているが、この係合する構造について、図９において具体的な構造例を示す。
【００６０】
図９（ａ）は、上位の段の壁面材２５の曲部７にＵ字型に折り曲げた櫛状の金物２７を連接し、連結材（鉄筋）２１を金物２７のＵ字端２８内に横方向に挿入し、金物２７の反対端２９を下位の段の壁面材２５の頭部２６内に装入しピン３０で留めた構造を示している。連結材２１は水平敷網材１８の前端のループ３１内にも挿入されており、これにより下位の段の壁面材２５の頭部２６、上位の段の壁面材２５の曲部７、及び水平敷網材１８が互いに可動に係合される構成となっている。
【００６１】
なお、櫛状の金物２７の詳細について、その側面図を図９（ａ）、（ｂ）で示し、その平面図を図１０（ｂ）で示している。櫛状の金物２７は、水平に配置され補強土擁壁１０の横幅方向に間隔を置いて平行に配列されたＵ字型に折り曲げた複数の鉄筋櫛部２７’と、これら複数の鉄筋櫛部３６をそれらの前端の上下部で夫々互いに固定する２本の鉄筋３０、３０とから構成される。
【００６２】
さらに、図１１（ａ）は、下位の段の壁面材５と上位の段の壁面材５とを互いに連結する別の連結構造を示す図である。この連結構造では、図１１（ｃ）に示す櫛状の金物３５及び連結材２１を使用して、下位の段の壁面材５と上位の段の壁面材５の曲部７とが連結されている。この櫛状の金物３５は、図１１（ｃ）にその正面と側面を示すように、鉄筋で形成された扁平状のコイルの形状をしている。
【００６３】
この連結構造では、櫛状の金物３５のコイルの部分３６の前端を下位の段の壁面材５に係合する。そして、コイルの部分３６の後端を上位の段の壁面材５に係合するとともに、コイルの部分３６と上位の段の壁面材５の間に連結材２１を横方向に挿通することにより、下位の段の壁面材５と上位の段の壁面材５を互いに、可動に連結することができる。さらに図１１（ｂ）に示すように、この連結材２１に水平敷網材１８のループ部３１を掛けて取り付けることができる。
【００６４】
以上、本発明に係る補強土擁壁の実施形態を実施例に基づいて説明したが、本発明は特にこのような実施例に限定されることなく、特許請求の範囲記載の技術的事項の範囲内でいろいろな実施例があることはいうまでもない。
【００６５】
【発明の効果】
以上のような構成の本発明に係る補強土擁壁によれば、次のような効果を奏する。
（１）エキスパンドメタルを利用する補強土擁壁について、複数の壁面材を底面地盤又は下位の段の盛土上に積み上げていく際に、夫々を定置しやすく、しかも高所作業における落下防止用の手摺りを提供できるので、施工の作業能率を向上することができ、補強土擁壁を安全に、安く、早く施工することが可能となる。
【００６６】
（２）鋼管に壁面材が当接させる構造としたので、複数の壁面材が補強土擁壁の前面となるように並置されるように、壁面材の夫々の位置決めをしやすくすることができるとともに、施工の際の土留めを行う壁面材の補強を行い、しかも手摺りを提供し、鋼管を補強土擁壁の構造物の一部として残置すれば、その撤去作業の手間も省け、しかも施工完了後も補強土擁壁のより一層の強度の向上となる。
【００６７】
（３）上下段方向の壁面材は夫々互いに連結されず、縦方向の鋼管に対して夫々独立して緊結されている構成とし、各段の壁面材は、壁面材の曲部は面取りして形成されており、これにより複数段の盛土構造体の下位の段の壁面材の前面部の上端は、上位の段の壁面材に当接せず、又上位の段の壁面材が自重や盛土重量で若干下方に沈下しても接触しない或いは互いに拘束されることのないように構成されているので、最下段の壁面材への上下方向の壁面材を介する重量負荷はないので、最下段の壁面材の座屈等による破損を防止することができる。
【図面の簡単な説明】
【図１】本発明の補強土擁壁の実施例１を説明する断面図である。
【図２】本発明の補強土擁壁の実施例１を説明する斜視図である。
【図３】本発明の補強土擁壁の実施例２の施工工程を説明する図である。
【図４】本発明の補強土擁壁の実施例２の施工工程を説明する図である。
【図５】本発明の補強土擁壁の実施例２を説明する要部斜視図である。
【図６】本発明の補強土擁壁の実施例３を説明する断面図である。
【図７】本発明の補強土擁壁の実施例３を説明する要部斜視図である。
【図８】本発明の補強土擁壁の実施例１の要部構造の一例を示す図である。
【図９】本発明の補強土擁壁の実施例３の要部構造の一例を示す図である。
【図１０】本発明の補強土擁壁の実施例１〜３で利用されるの櫛状の金物の平面図を示す。
【図１１】本発明の補強土擁壁の実施例３の要部構造の別の一例を示す図である。
【符号の説明】
１  地山
２  背面切土
３  底面地盤
４  前端部
５、２５  壁面材
６  底面部
７  曲部
８  前面部
９  盛土構造体
１０、２３、２４  補強土擁壁
１１  縦方向の鋼管
１２  植生マット
１３  緊結材
１４  鋼管
１５  管継手
１６  横方向の鋼管
１７  盛土
１８  水平敷網材
１８’  背面敷網材
１９  水平敷網材の前端部
２０  底面部の山側端部
２１  連結材
２２  敷網連結材
２６  頭部
２７、３２、３５  櫛状の金物
２８  金物のＵ字端
２９  金物の反対端
３０、３４  ピン
３１  水平敷網材のループ部
３３  櫛状の金物の湾曲部
３６  櫛状の金物のコイルの部分
【図１】
2004250913.tif 000003
【図２】
2004250913.tif 000004
【図３】
2004250913.tif 000005
【図４】
2004250913.tif 000006
【図５】
2004250913.tif 000007
【図６】
2004250913.tif 000008
【図７】
2004250913.tif 000009
【図８】
2004250913.tif 000010
【図９】
2004250913.tif 000011
【図１０】
2004250913.tif 000012
【図１１】
2004250913.tif 000013